(57)【特許請求の範囲】
【請求項１】
命綱の止め金に備えられ、磁性体を有する親綱などの相手側に取り付けられた止め金が該相手側に対して移動することにより磁束の変化による起電力を発生するようになされたコイルと、
コイルに、磁束の変化による起電力が発生したか否かを検知する検知手段と、
警告手段と、
検知手段からの起電力発生有りの検知信号を受けない場合に警告手段に警告発令信号を出力する制御手段と
が備えられていることを特徴とする作業用安全帯。
【請求項２】
タイマーが備えられ、前記制御手段が、タイマーでカウントされる所定の時間内に検知手段からの起電力発生有りの検知信号を受けた場合にタイマーにリセット信号を出力し、上記所定の時間内に検知手段からの起電力発生有りの検知信号を受けなかった場合に警告手段に警告発令信号を出力するものとなされている請求項１に記載の作業用安全帯。
【発明の詳細な説明】
【０００１】
【発明の属する技術分野】
本発明は、自動警告装置及び作業用安全帯に関する。
【０００２】
【従来の技術】
建築や建設などの現場において、図８や図９に示すように、高所で作業を行う場合、作業者は、墜落事故から身を守るため、安全帯５１を腰につけ、命綱５２の先端に備えられているフックなどによる止め金５３を親綱５４やタラップ５５などに取り付けて作業を行うよう、心掛けている。
【０００３】
【発明が解決しようとする課題】
しかるに、作業者Ａ，Ｂ…の中には、止め金５３を親綱５４に取り付けるのを、ついつい、忘れる者Ｂもおり、足を滑らせ、墜落事故を起こすことがある。
本発明は、例えば、上記のような高所での作業における安全帯止め金の止め忘れを防止しようとするような場合などにおいて、極めて有効的に用いることができる自動警告装置を提供することを課題とする。また、本発明は、止め金の止め忘れを有効的に防止することができる作業用安全帯を提供することを課題とする。
【０００４】
【課題を解決するための手段】
上記課題は、コイルと、
コイルに、磁束の変化による起電力が発生したか否かを検知する検知手段と、
警告手段と、
検知手段からの起電力発生有りの検知信号を受けない場合に警告手段に警告発令信号を出力する制御手段と
が備えられてなることを特徴とする自動警告装置によって解決される。
【０００５】
本装置では、コイルと磁性体とが相対的に動作すると、コイルにおいて磁束が変化し、それによって、コイルに起電力が発生する。このときは、警告手段は警告を行わない。一方、コイルも磁性体も動作を行わないと、コイルにおいて磁束は変化せず、そのため起電力は発生しない。このとき、警告手段が警告を行う。
【０００６】
従って、本発明の自動警告装置は、コイルと磁性体とが相対的に動作していることが警告不要状態で、コイルも磁性体も動作を行わないことが要警告状態であるような様々な場面において、好適に適用して用いることができ、適切な警告を行うことができる。
【０００７】
具体的には、例えば、本自動警告装置を作業用安全帯に適用し、コイルを命綱の止め金に備えさせる構成とすることなどを、好適な適用例の一つとして挙げることができる。
【０００８】
即ち、この適用例では、磁性体である例えば親綱に止め金を取り付けて作業を行っている状態は、作業によって止め金が命綱に沿って行来の移動をする状態であるから、コイルと磁性体とが相対的に動作し、コイルに起電力が発生し、これを警告不要状態と判断する。これにより、作業を安全に進めていくことができる。これに対し、親綱に、止め金を止め忘れて作業を行っている状態は、止め金に対する磁性体の行来の動作がないから、コイルに起電力は発生せず、そのため、これを要警告状態と判断して、警告を発する。作業者は、この警告に基づいて、止め金が親綱に取り付けられていないことに気付き、止め忘れていた止め金を親綱に取り付けることができて、その後の作業を安全に進めていくことができる。
【０００９】
上記の自動警告装置において、タイマーが備えられ、制御手段が、タイマーでカウントされる所定の時間内に検知手段からの起電力発生有りの検知信号を受けた場合にタイマーにリセット信号を出力し、上記所定の時間内に検知手段からの起電力発生有りの検知信号を受けなかった場合に警告手段に警告発令信号を出力するものとなされていることにより、自動警告装置は、検知手段からの起電力発生有りの検知信号を受けなかったことを要警告状態であると即断することなく、所定の時間を経過して初めて要警告状態であると判断し、警告を行う。
【００１０】
従って、このように構成された自動警告装置は、コイルも磁性体も動作を行わないこと、及び、それが所定の時間を越えて継続したこと、が要警告状態であるような様々な場面において、好適に適用して用いることができ、適切な警告を行うことができる。
【００１１】
具体的には、例えば、上記のような作業用安全帯などに適用して好適に用いることができる。即ち、作業の内容によっては、親綱に止め金を取り付けて作業を行っている状態においても、止め金が命綱に沿って行来の移動をしない状態というのが一時的に存在することがある。そのような場合に、止め金が命綱に沿って行来の移動をしないからといって警告を行ったのでは、警告が乱発されてしまうことがあり、装置の信頼性を損なう。そこで、タイマーを備えさせて上記のような制御構成とすることで、検知手段からの起電力発生有りの検知信号を受けなかったこと、しかも、それが所定の時間継続してそうであることをもって、初めて要警告状態と判断するようになり、装置がうまく機能する。
【００１２】
【発明の実施の形態】
次に、本発明の実施形態を図面に基づいて説明する。
【００１３】
図１には、本発明の警告装置１を示す。同警告装置１において、２はコイル、３は検知手段としての通電センサー、４は制御手段、５は警告手段、６はタイマーである。
【００１４】
通電センサー３は、コイル２の回路７に介設され、コイル２に起電力が発生して回路７に電流が流れたか否かを検知し、それによって起電力の発生の有無を検知するものである。通電センサー３ないし検知手段には、各種のタイプのものが用いられてよい。
【００１５】
警告手段５は、なんらかの警告表示を行うものであればよい。例えば、発音手段によるものであってもよいし、バイブレーターによるものであってもよいし、ライトの点灯や点滅などの光学的手段によるものであってもよい。
【００１６】
制御手段４は、例えばマイクロコンピューターなどによるもので、上記の通電センサー３とタイマー６との関係で、次のような制御を行うものとなされている。
【００１７】
即ち、図２に示すように、スタートしてステップＳ１において、タイマー６に設定されている所定の時間内か否かが判断され、設定時間内であればステップＳ２に移行し、通電センサー３からの通電信号の入力の有無に基づいてコイル２の起電力発生の有無を判断する。起電力発生有りの場合はステップＳ３に移行し、タイマー６にリセット信号を出力し、タイマー６は改めて最初から時間のカウントを始める。そして、再びステップＳ１に移行し、上記の判断を繰り返していく。この繰返しは、タイマー６に設定されている所定の時間内においてコイル２と磁性体９とが相対的な動作を行っていることを示すものであり、警告不要状態であることを示すものである。
【００１８】
そして、上記の繰返しにおいて、ステップＳ２で起電力発生無しと判断した場合はステップＳ１に移行し、ステップＳ１とステップＳ２を繰り返す。この繰返しにおいて、ステップＳ１で所定の時間を越えたと判断すると、ステップＳ４に移行し、警告手段５に警告発令信号が出力され、それに基づいて、警告手段５は上記のようななんらかのかたちでの警告を行う。即ち、タイマー６に設定されている所定の時間を越えてもコイル２と磁性体９とが相対的な動作を行わなかったことを示すものであり、制御手段４はこれを要警告状態であると判断したものである。なお、タイマー６は、設定時間を調節できるようになされているのが好ましい。
【００１９】
図４（イ）には、上記の自動警告装置１を備えた作業用安全帯１０を示す。１１は胴締めのベルトであり、このベルト１１には命綱１２が取り付けられ、命綱１２の先端には止め金としてのフック１３が備えられている。なお、１４はバックル、１５はベルト通し、１６は命綱収納袋である。そして、フック１３には、図４（ロ）に示すように、コイル２が内臓され、コイル２からの導線１７，１７が命綱１２を通じて、ベルト１１側に延ばされている。そして、ベルト１１には、通電センサー３や上記の警告手段５、タイマー６、制御手段４、電池等が組み込まれたユニット１８が取り付け、導線１７，１７がユニット１８の通電センサー３に接続されている。
【００２０】
上記の作業用安全帯１０では、図５に示すように、フック１３を磁性体付きの親綱１９に取り付けて、フック１３を親綱１９に沿って移動させると、フック１３のコイル２に起電力が発生し、導線１７，１７に電流が流れ、通電センサー３が起電力の発生を検知する。一方、命綱１２が命綱収納袋１６に収納されたままであったり、ベルト１１から垂れ下がっているだけでフック１３が親綱１９に取り付けられていない場合は、コイル２に起電力が発生せず、通電センサー３は働かない。
【００２１】
図６に示すように、作業者Ａ，Ｂがこの作業用安全帯１０を腰に取り付けて高所にて作業を行う場合に、作業者Ａのように、命綱１２のフック１３を親綱１９に取り付けて作業を行っている場合は、その作業によってフック１３が親綱１９に対して動作し、コイル２に起電力が発生され、自動警告装置１は、警告不要状態と判断し、警告は行われない。また、作業内容によって、フック１３が、タイマー６に設定されている時間よりも短い時間、親綱１９に対し動作しないような場合であっても、警告不要状態と判断し、警告は行われない。
【００２２】
しかし、作業者Ｂのように、命綱１２のフック１３を親綱１９に取り付けるのを忘れている場合には、タイマー６に設定されている時間を越えると、例えば同図のように、「安全帯がはずれていませんか？」というような発音による警告がなされ、作業者Ｂに注意が喚起される。これによって、作業者Ｂは、フック１３を親綱１９に取り付けていなかったのに気付かされ、フック１３を親綱１９に取り付けて安全に作業を継続することができる。
【００２３】
図７に示すように、磁性体を有するタラップ２０にフック１３を取り付けて作業する場合も同様である。磁性体を有する相手側は各種態様のものであってよい。
【００２４】
なお、上記の自動警告装置１に作動開始スイッチが備えられている場合には、そのスイッチは安全帯１０に備えられていてもよいし、あるいは、受信機を安全帯１０に備えさせ、発信機を安全帯１０とは個別に備えさせて、遠隔にて警告装置１のスイッチ操作を行うようになされていてもよい。後者の場合は、例えば現場監督が発信機を持ち、作業において、遠隔にて各作業者の安全帯にスイッチオンの信号を送ることにより、作業者の安全管理を統括的に行うことができる。
【００２５】
以上に、本発明の実施形態を示したが、本発明の自動警告装置は、作業用安全帯１０への適用に限られるものではない。要は、コイル２に起電力が発生することが警告不要状態で、コイル２に起電力が発生しないことが要警告状態であるような様々な場面において、広く適用されて便利に用いられるものである。また、図３（イ）（ロ）に示すように、タイマーを省略し、起電力発生の有無のみを判断し（ステップＳ１）、起電力発生有りの場合に判断を繰り返し、起電力発生なしの場合に警告手段５に警告発令信号が出力される（ステップＳ２）構成となされていてもよい。
【００２６】
【発明の効果】
上述の次第で、本発明の自動警告装置は、コイルと、検知手段と、警告手段と、そして、検知手段からの起電力発生有りの検知信号を受けない場合に警告手段に警告発令信号を出力する制御手段とが備えられたものであるから、コイルと磁性体とが相対的に動作していることが警告不要状態で、コイルも磁性体も動作を行わないことが要警告状態であるような様々な場面において好適に適用して用いることができ、それによって、適切な警告を行うことができる。
【００２７】
しかも、コイルと磁性体との相対的動作によってコイルに発生する起電力を利用するものであるから、電力の消費が少なく、非常に経済的である。
【００２８】
また、タイマーを備えさせ、制御手段が、タイマーでカウントされる所定の時間内に検知手段からの起電力発生有りの検知信号を受けた場合にタイマーにリセット信号を出力し、上記所定の時間内に検知手段からの起電力発生有りの検知信号を受けなかった場合に警告手段に警告発令信号を出力するものとなされていることにより、コイルも磁性体も動作を行わず、しかも、所定の時間を越えて動作を行わないことが要警告状態であるような様々な場面において好適に適用して用いることができ、適切な警告を行うことができる。
【００２９】
そして、例えば、上記のような自動警告装置を作業用安全帯に備えさせ、コイルを命綱の止め金に備えさせるようにすることにより、建築や建設現場などでの高所での作業において、安全帯の止め金の止め忘れを、極めて有効的に防止することができ、作業を安全に遂行していくことができる。
【図面の簡単な説明】
【図１】本発明の自動警告装置の一実施形態を示す装置構成図である。
【図２】同警告装置における制御のフローチャート図である。
【図３】他の実施形態を示すもので、図（イ）は装置の構成図、図（ロ）は制御のフローチャート図である。
【図４】安全帯への適用例を示すもので、図（イ）は安全帯を真っ直ぐに延ばした状態の全体側面図、図（ロ）はフック部分を拡大して示す側面図である。
【図５】フックに備えさせたコイルに起電力が発生する作動状態を示す斜視図である。
【図６】作業現場での安全帯の使用状態を示す側面図である。
【図７】他の作業現場での安全帯の使用状態を示す側面図である。
【図８】従来例を示すもので、作業現場での安全帯の使用状態を示す側面図である。
【図９】同じく従来例を示すもので、他の作業現場での安全帯の使用状態を示す側面図である。
【符号の説明】
１…警告装置
２…コイル
３…通電センサー（検知手段）
４…制御手段
５…警告手段
６…タイマー
９…磁性体
１０…安全帯
１２…命綱
１３…フック（止め金）
【図１】
0003986656.tif 000002
【図２】
0003986656.tif 000003
【図３】
0003986656.tif 000004
【図４】
0003986656.tif 000005
【図５】
0003986656.tif 000006
【図６】
0003986656.tif 000007
【図７】
0003986656.tif 000008
【図８】
0003986656.tif 000009
【図９】
0003986656.tif 000010